【手続補正書】
【提出日】平成16年9月30日(2004.9.30)
【手続補正１】
【補正対象書類名】明細書
【補正対象項目名】全文
【補正方法】変更
【補正の内容】
【書類名】      明細書
【発明の名称】      遊技機
【特許請求の範囲】
【請求項１】  回路基板を被包する遊技機用基板ボックスと、その遊技機用基板ボックスを遊技機の裏側面に回動可能に取り付ける取付部材と、その取付部材および遊技機用基板ボックスを結合させる結合手段とを有する遊技機用基板ボックスユニットを備えた遊技機において、
前記取付部材は、板状に形成された主板と、その主板に貫通して形成される前記結合手段としての第１係合部を有する一方、
前記遊技機用基板ボックスは、箱状に形成された本体と、その本体より外方へ向けて突設されると共に前記取付部材の主板に重ねて取り付けられる場合に前記取付部材の第１係合部に係合可能な前記結合手段としての第２係合部とを有し、 前記取付部材の主板の片面側には前記遊技機用基板ボックスの本体が取り付けられ、その主板の反対面側が前記遊技機の裏側面に対向した状態で前記遊技機用基板ボックスユニットが前記遊技機の裏側面に取り付けられ、
その対向状態に対して前記第２係合部が遊技機の裏側面から離間するように前記取付部材を回動し、その第２係合部を前記主板の前記反対面側から操作することによって、前記遊技機用基板ボックスを前記取付部材より取り外し可能に構成されていることを特徴とする遊技機。
【発明の詳細な説明】
【０００１】
【発明の属する技術分野】  本発明は遊技機用基板ボックスを取付部材から誤って取り外してしまうことを防止することができる遊技機用基板ボックスユニットを備えた遊技機に関するものである。
【０００２】
【従来の技術】  近年、パチンコ機およびスロットマシーン等の遊技機は、遊技盤に設けられる入賞装置および表示装置等を制御して遊技の興趣を盛り上げるものが主流となっている。この入賞装置および表示装置の制御はＩＣ，ＬＳＩ等の多数の電子部品を配設したロジック制御回路基板またはマイクロコンピュータを有する制御回路基板等により行われる。この制御回路基板はボックスベースおよびボックスカバーを備えた遊技機用基板ボックスに被包されており、この遊技機用基板ボックスは取付板に結合され、その取付板を介して遊技盤の裏面に配設される入賞球集合カバーまたは機構板に付設される。
【０００３】
ところで、遊技機用基板ボックスと取付板とを結合する場合、遊技機用基板ボックスのメンテナンス等を考慮して、遊技機用基板ボックスは取付板から取り外し可能な状態で結合する必要がある。このため、従来の遊技機用基板ボックスと取付板との結合には、例えば、ロック部材とそのロック部材に着脱自在に形成されたボタン部材とを備えた結合具が使用されている。この結合具は、取付板に配設されたロック部材に対して、遊技機用基板ボックスに配設されたボタン部材を押し込むことにより、ボタン部材がロック部材に係合され、そのボタン部材の配設された遊技機用基板ボックスとロック部材の配設された取付板とが結合されるのである。
【０００４】
【発明が解決しようとする課題】  しかしながら、かかる結合具は、遊技機の裏面から視認可能な状態で露出して配設されており、かつ、ボタン部材を引き抜くことにより容易に遊技機用基板ボックスと取付部材との結合状態を解除することができるので、遊技機の検査等において、基板ボックスを不用意に取り外してしまうという問題点があった。また、かかる結合具と同一種類の結合具によって、入賞球集合カバーや機構板等が遊技盤の裏面に結合される遊技機においては、遊技盤と入賞球集合カバーや機構板等との結合を解除する際に、遊技機用基板ボックスが取付板から誤って外されてしまうという問題点があった。
【０００５】
本発明は上述した問題点を解決するためになされたものであり、遊技機用基板ボックスを取付部材から誤って取り外してしまうことを防止することができる遊技機用基板ボックスユニットを備えた遊技機を提供することを目的としている。
【０００６】
【課題を解決するための手段】  この目的を達成するために請求項１記載の遊技機は、回路基板を被包する遊技機用基板ボックスと、その遊技機用基板ボックスを遊技機の裏側面に回動可能に取り付ける取付部材と、その取付部材および遊技機用基板ボックスを結合させる結合手段とを有する遊技機用基板ボックスユニットを備えており、前記取付部材は、板状に形成された主板と、その主板に貫通して形成される前記結合手段としての第１係合部を有する一方、前記遊技機用基板ボックスは、箱状に形成された本体と、その本体より外方へ向けて突設されると共に前記取付部材の主板に重ねて取り付けられる場合に前記取付部材の第１係合部に係合可能な前記結合手段としての第２係合部とを有し、前記取付部材の主板の片面側には前記遊技機用基板ボックスの本体が取り付けられ、その主板の反対面側が前記遊技機の裏側面に対向した状態で前記遊技機用基板ボックスユニットが前記遊技機の裏側面に取り付けられ、その対向状態に対して前記第２係合部が遊技機の裏側面から離間するように前記取付部材を回動し、その第２係合部を前記主板の前記反対面側から操作することによって、前記遊技機用基板ボックスを前記取付部材より取り外し可能に構成されている。
【０００７】
この請求項１記載の遊技機によれば、取付部材と回路基板を被包した遊技機用基板ボックスとは結合手段によって結合され、その取付部材は遊技機の裏側面に回動可能に取り付けられる。この遊技機用基板ボックスと取付部材との結合状態は、取付部材に結合された遊技機用基板ボックスが遊技機の裏側面の所定位置に配置されている場合には、解除することができない。このため結合状態の解除は、取付部材を介して遊技機用基板ボックスユニットを遊技機の裏側面の所定位置から回動して行われる。
【０００８】
【発明の実施の形態】  以下、本発明の好ましい実施例について、添付図面を参照して説明する。図１は、本発明の遊技機用基板ボックスユニットの一実施例であるボックスユニット１の分解斜視図であり、図２は、ボックスユニット１の配設された遊技機の一種であるパチンコ機９０の裏面の部分断面図である。図３は、図２のＩＩＩ−ＩＩＩ線における平面部分断面図であり、図４は、図２のＩＶ−ＩＶ線におけるボックスユニット１を分解した平面断面図である。図５は、図３のＶ−Ｖ線におけるボックスユニット１の裏面部分図である。尚、図３に示す２点鎖線は、連接板８を介してボックスユニット１が回転された状態を図示している。
【０００９】
図１に示すように、ボックスユニット１は、遊技機の一種であるパチンコ機９０（図２参照）の遊技内容に関する制御プログラムやデータを記憶した制御用ＲＯＭ等の電子部品（図示せず）が搭載された制御回路基板６を被包して封印するためのものである。このボックスユニット１は、主に、基板ボックス２と、取付部材５とを備え、図２に示すパチンコ機９０の遊技盤９１の裏面に設けられた入賞球集合カバー９２に取り付けられている。
【００１０】
図１に示すように、基板ボックス２は、ボックス本体３と、そのボックス本体３に覆設されるボックス蓋体４とを備え、透明な高分子樹脂等で構成されている。このボックス本体３およびボックス蓋体４は、いずれも略矩形皿状に形成されており、制御回路基板６をボックス本体３内に収納した状態で、互いの開口面を対向させ合致（合体）させることにより、制御回路基板６を基板ボックス２内に被包することができる。
【００１１】
ボックス本体３の左右両側面には４つの中空円柱状の封印部材３１がそれぞれ配設され、ボックス蓋体４の左右両側面には各封印部材３１に対応して４つの中空円柱状の封印部材４１がそれぞれ配設されている。この各封印部材３１，４１は制御回路基板６への不正行為を防止するため基板ボックス２を封印する部材であり、ボックス本体３の各封印部材３１には封印ねじ７１の螺入されるナット部材７２と、そのナット部材７２に螺入された封印ねじ７１を係止する係止座金７３とがそれぞれ設置される。尚、封印ねじ７１は互いに対向する一対の封印部材３１，４１内に螺入され両者を連結する部材である。
【００１２】
この各封印部材３１，４１により基板ボックス２を封印する場合、制御回路基板６をボックス本体３内に収納した状態で、ボックス本体３にボックス蓋体４を覆設して、各封印部材３１，４１を対向させて当接する（図３参照）。各封印部材３１，４１の当接後、ボックス蓋体４右側面の最後側に配設された封印部材４１およびボックス蓋体４左側面の最前側に配設された封印部材４１に封印ねじ７１をそれぞれ挿入し、これらの封印ねじ７１を各封印部材３１内に設置されたナット部材７２へ螺入し続ける。この封印ねじ７１の螺入が完了すると、封印部材３１内の係止座金７３によって封印ねじ７１が抜き取り不可能な状態で係止される。その結果、封印ねじ７１により封印部材３１と封印部材４１とが連結されて、基板ボックス２を封印することができる。尚、図３に示すように、封印部材３１の側面部には封印ねじ７１と同一種類の予備用封印ねじ７４を保持することができる。
【００１３】
次に、基板ボックス２のボックス本体３を取付部材５に取り付ける（結合する）ために、ボックス本体３に設けられた各部材について説明する。まず、ボックス本体３の後側面の下方部分には、ボックス本体３の外方へ向けて、２つの略矩形状の突部３２が突設されている。これらの突部３２は、取付部材５の後側縁部分に穿設された２つの穴部５２に挿入可能に形成されており、各突部３２を各穴部５２に挿入することにより、ボックス本体３の後側面を取付部材５の後側縁部分に係止することができる。また、ボックス本体３の前側面、即ち、各突部３２の突設面に対向する側面には矩形状に開口された切欠部３３が形成されており、切欠部３３の上部端面は取付部材５に形成された２つの係止爪５３により係止される。
【００１４】
ボックス本体３の底部３５の下面、即ち、ボックス本体３の取付部材５側の面には、ボックス本体３の外方へ向けて、略矩形状の係合爪３４が突設されている。この係合爪３４は、取付部材５の係合穴５４に係合可能に形成されており、ボックス本体３および取付部材５が結合された場合に、ボックス本体３の取付部材５に対する相対的なスライドを抑制するためのものである。尚、ボックス本体３と取付部材５との結合方法については後述する。
【００１５】
切欠部３３は、また、ボックス蓋体４がボックス本体３に覆設された場合に、基板ボックス２の一側壁に導出口２１を形成する（図３参照）。よって、その導出口２１を介して基板ボックス２内に収納された制御回路基板６の雄型コネクタ６１に接続されたアース線６２やフラットケーブル６３を基板ボックス２から導出させることができる。
【００１６】
また、ボックス蓋体４の上面には、基板ボックス２と取付部材５とを結合する場合の基板ボックス２のスライド方向を表示した方向表示４２が形成されており、この方向表示４２の示す方向へ基板ボックス２をスライドさせることにより、基板ボックス２を取付部材５に結合することができる。尚、この方向表示４２は、ボックス蓋体４の成形と同時に型枠を用いて形成される。
【００１７】
図５に示すように、ボックス本体３の底部３５外面には、基板ボックス２のボックス本体３を取付部材５から取り外すための操作方法を表示した操作表示３６が設けられている。例えば、本実施例の操作表示３６によれば、「ＰＵＳＨ」の表示と、矢印の表示を有している。この操作表示３６の「ＰＵＳＨ」の表示は、基板ボックス２を取付部材５から取り外す場合に、その「ＰＵＳＨ」の表示部分を押圧しなければならない旨を指示している。また、矢印の表示は、基板ボックス２を取付部材５から取り外す場合に、基板ボックス２を矢印の方向へスライドさせなければならない旨を指示している。
【００１８】
この操作表示３６はボックス本体３の成形と同時に型枠を用いて凸状に形成される。よって、係合爪３４および係合穴５４の係合状態を解除するため、操作表示３６に指を押し当て基板ボックス２をスライドさせる場合、指先が操作表示３６に引っかかり指の滑りを防止することができる。
【００１９】
次に、図１を参照して、上述した基板ボックス２が結合される取付部材５について説明する。この取付部材５は導電性を有する薄板状の金属材料、例えば、薄板鋼材等で構成されており、ボックス本体３の底部３５が嵌合可能な薄皿状の主板５１を備えている。この主板５１上面の面積は基板ボックス２に収納される制御回路基板６と略同一面積となるように形成されているので、基板ボックス２の外部からの電気的ノイズを確実に除去することができる。また、主板５１の縁部分には周囲板５６が周設されており、その周囲板５６の後側縁部分および主板５１に跨った部分には２つの矩形状の穴部５２が穿設されている。これらの穴部５２は上述したボックス本体３に突設された各突部３２に対応して穿設されており、かかる各突部３２は各穴部５２へ挿入され係止される。取付部材５の前側縁部分に形成された周囲板５６の上端部分には、２つの係止爪５３が一体形成されている。この各係止爪５３は側面視略コ字状に形成されており、各係止爪５３内にボックス本体３の切欠部３３が填め込まれる（図３参照）。
【００２０】
取付部材５の主板５１の略中央部分には、矩形状の係合穴５４が穿設されており、この係合穴５４にボックス本体３に突設された係合爪３４が係合されるのである。即ち、この係合穴５４に上述した係合爪３４が係合させるためには、まず、基板ボックス２を傾けた状態で、基板ボックス２のボックス本体３に突設された各突部３２を取付部材５の各穴部５２へ挿入した後、ボックス本体３の底部３５の下面と取付部材５の主板５１の上面とを当接させつつ、ボックス本体３を切欠部３３側へとスライドさせる（図４参照）。ボックス本体３のスライドに伴って、ボックス本体３の切欠部３３が取付部材５の各係止爪５３に係止され、更に、ボックス本体３の底部３５の下面の係合爪３４が取付部材５の係合穴５４に係合される（図３参照）。図３に示すように、係合爪３４および係合穴５４が係合されると、係合穴５４および係合爪３４によって、ボックス本体３の矢印Ｄ方向へのスライドが抑制されるので、基板ボックス２のボックス本体３と取付部材５とを確実に結合することができる。
【００２１】
この係合爪３４および係合穴５４の係合の解除により、基板ボックス３および取付部材５の結合を解除することができるが、図３に示すように、ボックスユニット１は、通常、ボックスユニット１の係合爪３４および係合穴５４が遊技盤９１や入賞球集合カバー９２に対向した状態で、入賞球集合カバー９２に取り付けられるので、ボックスユニット１を反転させなければ係合爪３４および係合穴５４は見ることができない。よって、パチンコ機９０の検査等を行う場合に、係合爪３４および係合穴５４の不用意な操作が防止され、基板ボックス２と取付部材５との結合状態を誤って解除してしまうことを防止することができるのである。
【００２２】
図１に示すように、取付部材５の右側端部分に設けられた周囲板５６には接続端子５５が形成されており、この接続端子５５は、雄型コネクタ６１等を介して制御回路基板６に接続されたアース線６２の一端をネジ止めにより接続することができる。取付部材５の主板５１の下面には、後述する連接板８を取付部材５に取り付けるための２つの軸受部５７が形成されており、これらの軸受部５７には、連接板８の２本の取付ピン８１がそれぞれ回動可能に支持される。また、取付部材５の左右縁部分には、下方へ向けて取付片５８がそれぞれ形成されている。この各取付片５８を入賞球集合カバー９２に配設された留め具（図示せず）によって係止することにより、連接板８によるボックスユニット１の回動を防止することができる。
【００２３】
図２に示すように、ボックスユニット１の取付部材５の裏面には連接板８が取り付けられている。この連接板８は、正面視長板状に形成されたヒンジ部材であり、４本の取付ピン８１を備えている。この各取付ピン８１のうち２本の取付ピン８１は連接板８の右側端部分に突設されており、その他の２本の取付ピン８１は連接板８の左側端部分に突設されている。連接板８の右側端部分（図２中、右側）に突設された２本の取付ピン８１は、取付部材５に設けられた２つの軸受部５７に回動可能にそれぞれ支持されている。また、連接板８の左側端部分（図２中、左側）に突設される各取付ピン８１は、入賞球集合カバー９２に突設された各軸受部９２ａに回動可能にそれぞれ差し込まれる。よって、ボックスユニット１は、連接板８により入賞球集合カバー９２に対して回動可能に配設されるのである。
【００２４】
尚、連接板８の入賞球集合カバー９２の各軸受部９２ａに差し込まれた各取付ピン８１は、それぞれ各軸受部９２ａに対して着脱可能に形成されているので、ボックスユニット１を入賞球集合カバー９２から取り外して検査することもできる。また、連接板８は、遊技盤９１の裏面に直に取り付けても良い。
【００２５】
図１に示すように、制御回路基板６は、矩形薄板状に形成されており、その一側には５個の雄型コネクタ６１が隣接配置されている。このうち、制御回路基板６の右端の雄型コネクタ６１には、アース線６２の一端に配設された雌型コネクタ６２ａが嵌合されている。このアース線６２の他端は取付部材５の接続端子５５にネジ止めにより接続されている。この接続端子５５が形成された取付部材５は導電性を有する金属材料（薄板鋼材等）で構成されているので、制御回路基板６に搭載された電子部品の誤動作の原因となる電気的ノイズを除去することができる。また、他の雄型コネクタ６１には、フラットケーブル６３の一端に配設された雌型コネクタ６３ａが嵌合される。尚、図１では、制御回路基板６に搭載される各種電子部品の図示を省略し、アース線６２およびフラットケーブル６３の一部を省略して図示している。また、図１では、図面の簡略化のため、３個の雄型コネクタ６１にそれぞれ接続される３つのフラットケーブル６３の図示を省略している。
【００２６】
制御回路基板６には高分子樹脂等で構成された仕切板６５がネジ止めによって取着されている。この仕切板６５は制御回路基板６に対して略垂直に取着されており、ボックス本体３とボックス蓋体４とを合体させた場合に、基板ボックス２の内外部を仕切ることができる。よって、基板ボックス２の外部からの制御回路基板６への接触行為を防止することができるのである。また、図１に示すように、仕切板６５の制御回路基板６側の端部分には、各雄型コネクタ６１に対応して５つの矩形状のコネクタ穴部６５ａが穿設されている。よって、雄型コネクタ６１を回避して仕切板６５を制御回路基板６に取着することができる。
【００２７】
次に、図３および図４を参照して、基板ボックス２および取付部材５の結合方法について説明する。まず、図４に示すように、制御回路基板６を基板ボックス２により被包した後、基板ボックス２の各突部３２を取付部材５の各穴部５２へ挿入する。各突部３２の挿入後、基板ボックス２を矢印Ａ方向へ回転させて、ボックス本体３の底部３５の外面を取付部材５の主板５１に当接させる。基板ボックス２と取付部材５との当接後、基板ボックス２を矢印Ｂ方向へスライドさせると、基板ボックス２の右側面と取付部材５の右側縁部分の周囲板５６とが当接し、各突部３２が穴部５２に挿入された状態のまま、ボックス本体３の切欠部３３が係止爪５３に填め込まれて係止される。その結果、基板ボックス２と取付部材５とが結合される（図３参照）。このように、基板ボックス２および取付部材５が結合されると、図３に示すように、ボックス本体３の裏面に突設された係合爪３４の左側面が取付部材５の係合穴５４の左側面に当接して、係合爪３４が係合穴５４に係合されるので、基板ボックス２の矢印Ｄ方向へのスライドを抑制され、かかる結合が維持される。
【００２８】
次に、図３を参照して、基板ボックス２および取付部材５の結合状態の解除方法について説明する。この結合状態を解除する場合には、パチンコ機９０の入賞球集合カバー９２に配設された留め具（図示せず）によるボックスユニット１の係止を解除した後、係合爪３４および係合穴５４の係合状態を解除する必要がある。この係合状態の解除は、ボックスユニット１の裏面側、即ち、取付部材５側からボックス本体３の底部３５の外面を係合穴５４を介して矢印Ｃ方向へ押圧しつつ、ボックス本体３を矢印Ｄ方向へスライドさせることにより行われる。係合爪３４および係合穴５４の係合が解除されると、係止爪５３による切欠部３３の係止が解除される。その後、図４の反矢印Ａ方向へ基板ボックス２を回転させて、各突部３２を各穴部５２から引き抜くことにより、基板ボックス２が取付部材５から取り外される。
【００２９】
しかしながら、図３に示すように、ボックスユニット１は、通常、ボックスユニット１の係合爪３４および係合穴５４が遊技盤９１や入賞球集合カバー９２に対向した状態で、入賞球集合カバー９２に取り付けられるので、そのままの状態では係合穴５４を介してボックス本体３の底部３５外面を押圧することができず、係合爪３４および係合穴５４の係合状態を解除することができない。このため、ボックスユニット１を連接板８を介して反時計方向へ回転させて、図３中の２点鎖線の位置へ移動させた後、係合爪３４および係合穴５４の係合状態の解除が行われる。
【００３０】
このように、係合爪３４および係合穴５４の係合状態を解除して、基板ボックス２および取付部材５の結合状態を解除するには、ボックスユニット１を連接板８を介して反時計方向へ回転させて、図３中の２点鎖線の位置へ移動させなければならない。よって、パチンコ機９０の検査等を行う場合に、係合爪３４および係合穴５４の係合状態が不用意に解除されることが防止され、基板ボックス２と取付部材５との結合状態を誤って解除してしまうことを防止することができる。
【００３１】
また、上述した操作表示３６は取付部材５の係合穴５４の穿設位置に対応してボックス本体３に形成されているので、基板ボックス２と取付部材５とが結合されても、取付部材５の係合穴５４を介して操作表示３６を容易に視認することができる。また、基板ボックス２と取付部材５とが結合された場合に、操作表示３６、係合爪３４および係合穴５４は、ボックスユニット１の同一面に形成されているので、操作表示３６を参照しつつ、係合爪３４および係合穴５４の係合解除を行って、ボックス本体３を取付部材５から取り外すことができる。
【００３２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３３】
例えば、本実施例では、取付部材５を導電性を有する金属材料である薄板鋼材等で構成した。しかしながら、取付部材５の材質は、必ずしもこれに限られるものではなく、導電性を有する高分子材料等で構成しても良い。即ち、制御回路基板６の動作に悪影響を及ぼす電気的ノイズを除去することができる導電性材料であれば良い。
【００３４】
また、本実施例では、手順表示（操作表示３６，方向表示４２）をボックス本体３またはボックス蓋体４の成形と同時に型枠を用いて形成した。しがしながら、手順表示を付す方法は必ずしもこれに限られるものではなく、操作手順等を印刷した合成樹脂等のシートをボックス本体やボックス蓋体に貼付するようにしても良い。
【００３５】
回路基板を被包する遊技機用基板ボックスと、その遊技機用基板ボックスを遊技機の裏側面に回動可能に取り付ける取付部材と、その取付部材および遊技機用基板ボックスを結合させる結合手段とを備え、前記遊技機の裏側面と前記遊技機用基板ボックスまたは取付部材との間に配設され、前記結合手段による前記遊技機用基板ボックスおよび取付部材の結合状態を解除する結合解除手段を備えている遊技機用基板ボックスユニット１。
【００３６】
この遊技機用基板ボックスユニット１によれば、取付部材と回路基板を被包した遊技機用基板ボックスとは結合手段によって結合され、その取付部材は遊技機の裏側面に回動可能に取り付けられる。この遊技機用基板ボックスと取付部材との結合状態の解除は結合解除手段を操作することによって行われるが、この結合解除手段は遊技機の裏側面と遊技機用基板ボックスまたは取付部材との間に配設されているので、そのままの状態では結合解除手段を操作することができず、結合状態を解除することができない。よって、かかる結合解除手段を操作するためには、取付部材を回動して、まず結合解除手段を反転させなければならない。即ち、結合解除手段はそのままの状態では操作することができないので、不用意な結合解除手段の操作を防止して、遊技機用基板ボックスと取付部材との結合状態を誤って解除してしまうことを防止することができる。
【００３７】
回路基板が配設されるボックスベースとそのボックスベースに被せられるボックスカバーとを有する遊技機用基板ボックスと、その遊技機用基板ボックスを遊技機の裏側面に回動可能に取り付ける取付部材と、その取付部材および遊技機用基板ボックスを結合する結合手段とを備えた遊技機用基板ボックスユニットにおいて、前記遊技機の裏側面と前記ボックスベースとの間に配設される第１係合部と、その第１係合部に対向しつつ前記遊技機の裏面と前記取付部材との間に配設され前記第１係合部に係合される第２係合部とを有する結合解除手段を備え、前記結合手段によって前記遊技機用基板ボックスおよび取付部材を結合することにより、前記結合解除手段の第１係合部および第２係合部が係合されるとともに、その第１係合部および第２係合部の係合を解除することによって、前記結合手段による前記遊技機用基板ボックスおよび取付部材の結合が解除されることを特徴とする遊技機用基板ボックスユニット２。
【００３８】
この遊技機用基板ボックスユニット２によれば、回路基板をボックスベースに収納し、そのボックスベースにボックスカバーを被せることにより、回路基板が遊技機用基板ボックス内に収納される。回路基板を収納した後、遊技機用基板ボックスと取付部材とを結合手段によって結合すると、結合解除手段の第１係合部と第２係合部とが係合され、遊技機用基板ボックスと取付部材との結合が完了し、遊技機用基板ボックスが取付部材を介して遊技機の裏側面に回動可能に取り付けられる。この遊技機用基板ボックスおよび取付部材の結合状態を解除する場合、結合解除手段の第１係合部は遊技機の裏側面とボックスベースとの間に配設され、かつ、第２係合部は遊技機の裏側面と取付部材との間に配設されているので、そのままの状態ではこれらを操作することができない。よって、遊技機の検査等を行う場合に、結合解除手段の不用意な操作が防止され、遊技機用基板ボックスと取付部材との結合状態を誤って解除してしまうことを防止することができる。
【００３９】
遊技機用基板ボックスユニット１，２または請求項１記載の遊技機用基板ボックスユニットにおいて、回路基板が配設されるボックスベースとそのボックスベースに被せられるボックスカバーとを有する遊技機用基板ボックスと、遊技機の裏側面に対向する前記ボックスベースの壁面に配設される第１係合部とその第１係合部に対向しつつ遊技機の裏面に対向する前記取付部材の壁面に配設され前記第１係合部に係合される第２係合部とを有する結合解除手段とを備え、前記第１係合部は前記遊技機の裏面と対向する前記ボックスべースの壁面に突設された係合爪であり、前記第２係合部は前記係合爪に対向しつつ、前記遊技機の裏面に対向する前記取付部材の壁面に穿設された係合穴であることを特徴とする遊技機用基板ボックスユニット３。
【００４０】
遊技機用基板ボックスユニット１から３または請求項１記載の遊技機用基板ボックスユニットにおいて、前記遊技機用基板ボックスまたは取付部材は、前記結合手段による前記遊技機用基板ボックスおよび取付部材の結合手順を指示する結合手順指示手段を備えていることを特徴とする遊技機用基板ボックスユニット４。この遊技機用基板ボックスユニット４によれば、結合手順指示手段による指示に従って、遊技機用基板ボックスと取付部材との結合を容易に行うことができる。
【００４１】
遊技機用基板ボックスユニット１から４のいずれか、または、請求項１記載の遊技機用基板ボックスユニットにおいて、前記取付部材に結合された前記遊技機用基板ボックスが遊技機の裏面の所定位置に配置されている状態で、前記遊技機用基板ボックスまたは取付部材のうち前記遊技機の裏側面に対向（対面）する部分には、前記結合解除手段による前記遊技機用基板ボックスおよび取付部材の結合解除手順を指示する解除手順指示手段が設けられていることを特徴とする遊技機用基板ボックスユニット５。この遊技機用基板ボックスユニット５によれば、解除手順指示手段による指示に従って、遊技機用基板ボックスと取付部材との結合状態の解除を容易に行うことができる。また、解除手順指示手段は、取付部材に結合された遊技機用基板ボックスが遊技機の裏面の所定位置に配置されている状態において、遊技機用基板ボックスまたは取付部材のうち遊技機の裏側面に対向（対面）する部分に設けられているので、結合解除手段によって結合状態の解除を行う際に、解除手順指示手段を視認することができる。
【００４２】
遊技機用基板ボックスユニット１から５のいずれか、または、請求項１記載の遊技機用基板ボックスユニットにおいて、前記取付部材は導電性材料で形成されるとともに、前記遊技機用基板ボックスに被包される回路基板から配線されたアース線が接続される接続端子を備えていることを特徴とする遊技機用基板ボックスユニット６。この遊技機用基板ボックスユニット６によれば、アース線によって、導電性材料で形成された取付部材と遊技機用基板ボックスに被包された回路基板とが接続されるので、回路基板に悪影響を及ぼす電気的ノイズを取付部材により除去することができる。
【００４３】
【発明の効果】  本発明の遊技機によれば、遊技機用基板ボックスおよび取付部材の結合状態は、取付部材に結合された遊技機用基板ボックスが遊技機の裏側面の所定位置に配置されている場合には解除できない。よって、取付部材を介して、まず遊技機用基板ボックスを遊技機の裏側面の所定位置から回動しなければならない。即ち、不用意な結合解除の操作を防止して、遊技機用基板ボックスと取付部材との結合状態を誤って解除してしまうことを防止することができるという効果がある。
【図面の簡単な説明】
【図１】  本発明の遊技機用基板ボックスユニットの一実施例であるボックスユニットの分解斜視図である。
【図２】  ボックスユニットの配設された遊技機の一種であるパチンコ機の裏面の部分断面図である。
【図３】  図２のＩＩＩ−ＩＩＩ線における平面部分断面図である。
【図４】  図２のＩＶ−ＩＶ線におけるボックスユニットを分解した平面断面図である。
【図５】  図３のＶ−Ｖ線におけるボックスユニットの裏面部分図である。
【符号の説明】
１                ボックスユニット（遊技機用基板ボックスユニットの一部）
２                基板ボックス（遊技機用基板ボックス）
３                ボックス本体（ボックスベース）
４                ボックス蓋体（ボックスカバー）
５                取付部材（取付部材の一部）
６                制御回路基板（回路基板）
８                連接板（取付部材の一部）
３２              突部（結合手段の一部）
３３              切欠部（結合手段の一部）
３４              係合爪（結合手段の一部、第２係合部）
３６              操作表示（解除手順指示手段）
４２              方向表示（結合手順指示手段）
５２              穴部（結合手段の一部）
５３              係止爪（結合手段の一部）
５４              係合穴（結合手段の一部、第１係合部）
５５              接続端子
６５              仕切板
９０              パチンコ機（遊技機）